(57)【要約】【課題】表示装置の利便性を向上することができ、且つ、キャリブレーション後に光学部材の変形による表示ムラが低減された表示を確実に行うことができる技術を提供する。【解決手段】本発明の表示装置は、キャリブレーションを実行可能な表示装置であって、板状の光学部材と、振動部材と、前記キャリブレーションを実行する際に、前記振動部材を振動させることによって前記光学部材を振動させる制御手段と、を有する表示装置である。【選択図】図１
2015090430.tif 000002
【特許請求の範囲】
【請求項１】
キャリブレーションを実行可能な表示装置であって、
板状の光学部材と、
振動部材と、
前記キャリブレーションを実行する際に、前記振動部材を振動させることによって前記光学部材を振動させる制御手段と、
を有することを特徴とする表示装置。
【請求項２】
前記光学部材は、表示パネル、ガラス基板、及び、偏光板の少なくともいずれかを含むことを特徴とする請求項１に記載の表示装置。
【請求項３】
前記制御手段は、前記キャリブレーションの開始前に前記振動部材を振動させる
ことを特徴とする請求項１または２に記載の表示装置。
【請求項４】
前記制御手段は、前記キャリブレーションの実行期間内の一部の期間に前記振動部材を振動させる
ことを特徴とする請求項１または２に記載の表示装置。
【請求項５】
前記キャリブレーションでは、複数の調整処理が順番に行われ、
前記制御手段は、第１の調整処理と、前記第１の調整処理の次に行われる調整処理である第２の調整処理との間に、前記振動部材を振動させる処理を行う
ことを特徴とする請求項４に記載の表示装置。
【請求項６】
前記調整処理は、色域、色温度、階調特性、及び、輝度のうちの少なくともいずれか１つを調整する処理である
ことを特徴とする請求項５に記載の表示装置。
【請求項７】
前記表示装置は、短時間キャリブレーションモードを含む複数の動作モードを有しており、
前記制御手段は、前記短時間キャリブレーションモードが設定されている場合には、前記キャリブレーションを実行する際に、前記振動部材を振動させる処理を省略する
ことを特徴とする請求項１〜６のいずれか１項に記載の表示装置。
【請求項８】
ユーザに動作モードを選択させ、ユーザによって選択された動作モードを設定する設定手段をさらに有する
ことを特徴とする請求項７に記載の表示装置。
【請求項９】
板状の光学部材と、振動部材と、を有する表示装置の制御方法であって、
前記表示装置のキャリブレーションを実行する実行ステップと、
前記キャリブレーションを実行する際に、前記振動部材を振動させることによって前記光学部材を振動させる制御ステップと、
を有することを特徴とする表示装置の制御方法。
【請求項１０】
前記光学部材は、表示パネル、ガラス基板、及び、偏光板の少なくともいずれかを含むことを特徴とする請求項９に記載の表示装置の制御方法。
【請求項１１】
前記制御ステップでは、前記キャリブレーションの開始前に前記振動部材を振動させることを特徴とする請求項９または１０に記載の表示装置の制御方法。
【請求項１２】
前記制御ステップでは、前記キャリブレーションの実行期間内の一部の期間に前記振動部材を振動させる
ことを特徴とする請求項９または１０に記載の表示装置の制御方法。
【請求項１３】
前記キャリブレーションでは、複数の調整処理が順番に行われ、
前記制御ステップでは、第１の調整処理と、前記第１の調整処理の次に行われる調整処理である第２の調整処理との間に、前記振動部材を振動させる処理を行う
ことを特徴とする請求項１２に記載の表示装置の制御方法。
【請求項１４】
前記調整処理は、色域、色温度、階調特性、及び、輝度のうちの少なくともいずれか１つを調整する処理である
ことを特徴とする請求項１３に記載の表示装置の制御方法。
【請求項１５】
前記表示装置は、短時間キャリブレーションモードを含む複数の動作モードを有しており、
前記制御ステップでは、前記短時間キャリブレーションモードが設定されている場合には、前記キャリブレーションを実行する際に、前記振動部材を振動させる処理を省略することを特徴とする請求項９〜１４のいずれか１項に記載の表示装置の制御方法。
【請求項１６】
ユーザに動作モードを選択させ、ユーザによって選択された動作モードを設定する設定ステップをさらに有する
ことを特徴とする請求項１５に記載の表示装置の制御方法。
【請求項１７】
請求項９〜１６のいずれか１項に記載の表示装置の制御方法の各ステップをコンピュータに実行させることを特徴とするプログラム。
【発明の詳細な説明】
【技術分野】
【０００１】
本発明は表示装置、表示装置の制御方法、及び、プログラムに関する。
【背景技術】
【０００２】
近年、液晶ディスプレイや有機ＥＬ（Ｅｌｅｃｔｒｏ  Ｌｕｍｉｎｅｓｃｅｎｃｅ）ディスプレイ等の表示装置において、高度な色再現性や色均一性が求められている。そのため、画質を一定に保つために、キャリブレーションが行われている。
【０００３】
表示装置には、液晶パネル、有機ＥＬパネル、ガラス基板、偏光板などの板状の光学部材が使用されている。これらの光学部材には、図２に示すように、自重による物理的な応力が掛ることで変形（反りやたわみ）が発生する。また、表示装置の製造時（例えば、材料の切断時）に形成されたバリによって光学部材と他の部材の接触部分に摩擦力が発生するため、光学部材の変形が発生した状態が維持されてしまう。例えば、図２の符号００１で示す部分（光学部材の端面と、光学部材を固定する固定部との接触部分）に摩擦力が生じ、図２の符号００２で示す部分（光学部材の主要面と光学部材の固定部の接触部分）に変形が発生した状態が維持されてしまう。“主要面”は、光学部材の表面または裏面である。上述したような変形が発生すると、光学部材の光学特性が部分的に変化してしまうため、表示ムラが発生してしまう。例えば、図２の符号００３で示す部分に表示ムラ（輝度ムラや色ムラ）が発生してしまう。
【０００４】
図３で示すように、表示装置内部に振動部材を設け、振動部材を振動させることによって光学部材を振動させれば、光学部材の上述したような変形を一時的に低減することができ、表示ムラを低減することができる。具体的には、光学部材を振動させることで、図３の００４に示す部分の摩擦力に反発する力が働き、光学部材の変形を一時的に低減することができ、表示ムラを低減することができる。以後、このような処理（振動部材を振動させることによって光学部材を振動させる処理）を“振動処理”と記載する。
【０００５】
光学部材を振動させる仕組みを使用した技術は、例えば、特許文献１に開示されている。
【先行技術文献】
【特許文献】
【０００６】
【特許文献１】特開２００２−２０４３７９号公報
【発明の概要】
【発明が解決しようとする課題】
【０００７】
光学部材の変形による表示ムラは、表示装置のキャリブレーションを行っても低減することはできない。そのため、高度な色再現性や色均一性を実現する為には、キャリブレーションと振動処理の両方を行う必要がある。
【０００８】
しかしながら、従来、振動処理は、ユーザ操作に応じて行われていた。そのため、キャリブレーションを実行する度にユーザが振動処理の実行を指示しなければならず、操作が煩雑となってしまう。また、ユーザが振動処理の実行の指示を忘れると、キャリブレーション後に表示ムラが残ってしまう。
【０００９】
本発明は、表示装置の利便性を向上することができ、且つ、キャリブレーション後に光学部材の変形による表示ムラが低減された表示を確実に行うことができる技術を提供する
ことを目的とする。
【課題を解決するための手段】
【００１０】
本発明の第１の態様は、
キャリブレーションを実行可能な表示装置であって、
板状の光学部材と、
振動部材と、
前記キャリブレーションを実行する際に、前記振動部材を振動させることによって前記光学部材を振動させる制御手段と、
を有することを特徴とする表示装置である。
【００１１】
本発明の第２の態様は、
板状の光学部材と、振動部材と、を有する表示装置の制御方法であって、
前記表示装置のキャリブレーションを実行する実行ステップと、
前記キャリブレーションを実行する際に、前記振動部材を振動させることによって前記光学部材を振動させる制御ステップと、
を有することを特徴とする表示装置の制御方法である。
【００１２】
本発明の第３の態様は、上述した表示装置の制御方法の各ステップをコンピュータに実行させることを特徴とするプログラムである。
【発明の効果】
【００１３】
本発明によれば、表示装置の利便性を向上することができ、且つ、キャリブレーション後に光学部材の変形による表示ムラが低減された表示を確実に行うことができる。
【図面の簡単な説明】
【００１４】
【図１】実施例１に係る表示装置の機能構成の一例を示すブロック図
【図２】光学部材の変形の一例を示す図
【図３】実施例１に係る振動処理の一例を示す図
【図４】実施例１に係る表示装置の動作の一例を示すフローチャート
【図５】実施例１に係る表示装置の動作の一例を示すフローチャート
【図６】実施例１に係る表示装置の動作の一例を示すフローチャート
【発明を実施するための形態】
【００１５】
＜実施例１＞
以下、本発明の実施例１に係る表示装置及びその制御方法について説明する。本実施例に係る表示装置は、キャリブレーションを実行可能な表示装置である。図３に示すように、本実施例に係る表示装置は、板状の光学部材と、振動部材とを有する。光学部材は、表示パネル（液晶パネル、有機ＥＬパネル、プラズマディスプレイパネル、など）、ガラス基板、偏光板、などである。本実施例では、光学部材が表示パネルである場合の例を説明する。そして、本実施例では、キャリブレーションの開始前に振動処理を行う例を説明する。振動処理は、振動部材を振動させることによって光学部材を振動させる処理である。振動処理を行うことにより、光学部材の変形（自重による変形）を一時的に低減することができ、表示ムラを低減することができる。
【００１６】
なお、図３には、振動部材が光学部材を間接的に振動させる例が示されている。具体的には、図３には、振動部材の振動が固定部（光学部材を固定する固定部）を介して光学部材に伝わることにより光学部材が振動する例が示されている。しかし、本発明の構成はこれに限らない。例えば、振動部材が光学部材を直接振動させるように、光学部材上に振動部材が設けられていてもよい。振動部材の振動によって光学部材が振動すれば、振動部材
はどのように設けられていてもよい。
【００１７】
本実施例に係る表示装置の機能構成について、図１に示すブロック図を用いて説明する。
図１に示すように、本実施例に係る表示装置１００は、ＵＩ制御部１０１、ＣＡＬ部１０２、振動部１０３、振動制御部１０４、画像入出力制御部１０５、表示部１０６、などを有する。
【００１８】
ＵＩ制御部１０１は、画質調整指示、入力切換指示、キャリブレーション指示などの様々なユーザ入力（ユーザ操作）を受け付ける。
【００１９】
ＣＡＬ部１０２は、キャリブレーションを実行する。ＣＡＬ部１０２は、キャリブレーションを実行する際に、振動実行指示、パッチ表示指示、などを行う。キャリブレーションでは、例えば、画面にパッチ画像が表示され、光センサなどを用いてパッチ画像の表示輝度や表示色（画面上の輝度や色）が測定される。そして、ＣＡＬ部１０２は、測定結果に基づいて表示部１０６の表示特性（例えば、画像データと、表示素子を駆動する駆動信号の値との対応関係）を調整する。それにより、表示画像の画質（表示輝度や表示色）が調整される。表示画像は、画面に表示された画像である。
【００２０】
振動部１０３は、振動する振動部材である。振動部１０３は、振動部１０３の振動によって表示部１０６が振動するように設けられている。振動部１０３は、例えば、振動部１０３の重心からずれた位置を中心として回転するモーターであり、電圧を印加することで回転し、振動を発生する。振動部１０３は、振動制御部１０４からの振動開始指示に応じて振動を開始し、振動制御部１０４からの振動終了指示に応じて振動を終了する。
【００２１】
振動制御部１０４は、ＣＡＬ部１０２がキャリブレーションを実行する際に、振動部１０３を振動させる。具体的には、ＣＡＬ部１０２は、キャリブレーションの開始前に、振動部１０３に対して振動実行指示（振動処理の実行を示す指示）を行う。そして、振動制御部１０４は、振動実行指示に応じて、振動部１０３に振動開始指示（振動処理の開始を示す指示）を行う。それにより、キャリブレーションの開始前に自動で振動処理が行われる。
【００２２】
画像入出力制御部１０５は、画像データを表示部１０６に出力する。例えば、画像入出力制御部１０５は、ユーザ操作に従って、外部から入力された画像データ、表示装置の記憶部（不図示）から取得された画像データ、などを表示部１０６に出力する。また、ＣＡＬ部１０２は、キャリブレーションを実行する際に、画像入出力制御部１０５に対してパッチ表示指示（パッチ画像の表示を示す指示）を行う。そして、画像入出力制御部１０５は、パッチ表示指示に応じて、パッチ画像を表示する画像データを生成し、生成した画像データを表示部１０６に出力する。例えば、表示中の画像を表す画像データと、パッチ画像を表す画像データとを合成することにより表示中の画像にパッチ画像が重畳された合成画像データが生成され、合成画像データが出力される。
【００２３】
表示部１０６は、表示部１０６に入力された画像データを表示する表示パネルである。そのため、ＣＡＬ部１０２がキャリブレーションを実行する際には、表示部１０６は、パッチ画像（パッチ画像を含む画像）を表示する。
【００２４】
本実施例に係る表示装置の動作（キャリブレーションが実行されるときの動作）について、図４のフローチャートを用いて説明する。
【００２５】
まず、キャリブレーションを開始するユーザ操作が行われると、ＵＩ制御部１０１が、
キャリブレーション実行指示をＣＡＬ部１０２に送信する（Ｓ４０１）。
【００２６】
次に、ＣＡＬ部１０２が、キャリブレーション実行指示を受信すると、表示装置の状態をキャリブレーション状態に遷移させる（Ｓ４０２）。
【００２７】
そして、ＣＡＬ部１０２が、振動実行指示を振動制御部１０４に送信する（Ｓ４０３）。このとき、振動制御部１０４は、振動実行指示を受信に応じて、振動開始指示を振動部１０３に送信する。そして、振動部１０３は、振動開始指示に応じて振動処理を開始する。
【００２８】
次に、振動制御部１０４が、振動処理が十分に行われたか否かを判断する（Ｓ４０４）。例えば、振動制御部１０４は、振動開始指示を送信してから所定時間経過したか否かを判断する。そして、振動開始指示を送信してから所定時間経過した場合に振動処理が十分に行われたと判断し、振動開始指示を送信してから所定時間経過していない場合に振動処理が十分に行われていないと判断する。
振動処理が十分に行われたと判断されるまでＳ４０４の処理が繰り返される。振動処理が十分に行われたと判断されると、振動制御部１０４が、振動処理の終了を示す振動終了指示を振動部１０３に送信し、振動処理完了通知をＣＡＬ部１０２に送信し、Ｓ４０５に処理が進められる。
【００２９】
Ｓ４０５では、振動部１０３が、振動終了指示に応じて振動処理を終了し、ＣＡＬ部１０２が、振動処理完了通知に応じてキャリブレーションを開始する。それにより、振動処理が終了した後にキャリブレーションが開始される。
【００３０】
以上述べたように、本実施例によれば、キャリブレーションを実行する際に振動処理が自動で行われる。具体的には、キャリブレーションの開始前に振動処理が自動で行われる。それにより、キャリブレーションを実行する度にユーザが振動処理の実行を指示する手間を省くことができ、表示装置の利便性を向上することができる。そして、キャリブレーション後に光学部材の変形による表示ムラが低減された表示を確実に行うことができる。
【００３１】
＜実施例２＞
以下、本発明の実施例２に係る表示装置及びその制御方法について説明する。実施例１では、キャリブレーションの開始前に振動処理を行う例を説明した。本実施例では、キャリブレーションの実行期間内の一部の期間に振動処理を行う例を説明する。
なお、本実施例に係る表示装置の構成は、実施例１（図１）と同じであるため、その説明は省略する。
【００３２】
本実施例に係る表示装置の動作（キャリブレーションが実行されるときの動作）について、図５のフローチャートを用いて説明する。
なお、本実施例では、キャリブレーションにおいて、複数の調整処理が順番に行われるものとする。
なお、調整処理は、例えば、色域、色温度、階調特性、及び、輝度のうちの少なくともいずれか１つを調整する処理である。そのため、調整処理は、色域、色温度、階調特性、及び、輝度のうちのいずれか１つのみを調整する処理であってもよいし、色域、色温度、階調特性、及び、輝度のうちの複数のパラメータを調整する処理であってもよい。例えば、調整処理は、色域のみを調整する処理であってもよいし、色域と色温度を調整する処理であってもよい。
【００３３】
まず、キャリブレーションを開始するユーザ操作が行われると、ＵＩ制御部１０１が、キャリブレーション実行指示をＣＡＬ部１０２に送信する（Ｓ５０１）。
【００３４】
次に、ＣＡＬ部１０２が、キャリブレーション実行指示を受信すると、表示装置の状態をキャリブレーション状態に遷移させる（Ｓ５０２）。
【００３５】
そして、ＣＡＬ部１０２が、第１の調整処理を行う（Ｓ５０３）。本実施例では、第１の調整処理として、色域調整処理が行われる。
【００３６】
Ｓ５０３の色域調整処理が完了すると、ＣＡＬ部１０２が、振動実行指示を振動制御部１０４に送信する（Ｓ５０４）。このとき、振動制御部１０４は、振動実行指示を受信に応じて、振動開始指示を振動部１０３に送信する。そして、振動部１０３は、振動開始指示に応じて振動処理を開始する。
【００３７】
そして、振動制御部１０４が、振動処理が十分に行われたか否かを判断する（Ｓ５０５）。振動処理が十分に行われたと判断されるまでＳ５０５の処理が繰り返される。振動処理が十分に行われたと判断されると、振動制御部１０４が、振動処理の終了を示す振動終了指示を振動部１０３に送信し、振動処理完了通知をＣＡＬ部１０２に送信し、Ｓ５０６に処理が進められる。
【００３８】
Ｓ５０６では、振動部１０３が、振動終了指示に応じて振動処理を終了し、ＣＡＬ部１０２が、振動処理完了通知に応じて第２の調整処理を開始する。それにより、振動処理が終了した後に第２の調整処理が開始される。即ち、キャリブレーションが中断して振動処理が行われた後にキャリブレーションが再開される。本実施例では、第２の調整処理として、色温度調整処理が行われる。
【００３９】
以上述べたように、本実施例によれば、キャリブレーションを実行する際に振動処理が自動で行われる。具体的には、第１の調整処理と、第１の調整処理の次に行われる調整処理である第２の調整処理との間に、振動処理が自動で行われる。それにより、キャリブレーションを実行する度にユーザが振動処理の実行を指示する手間を省くことができ、表示装置の利便性を向上することができる。そして、キャリブレーション後に光学部材の変形による表示ムラが低減された表示を確実に行うことができる。
【００４０】
なお、本実施例では、第１の調整処理が完了してから振動処理を開始して、振動処理が完了してから第２の調整処理を開始する例を説明したが、これに限らない。例えば、振動処理と調整処理の両方が並列に行われる期間が存在していてもよい。但し、光学部材の振動によって調整処理の精度が低下する虞があるため、振動処理と調整処理は並列に行われないことが好ましい。
【００４１】
なお、本実施例では、キャリブレーションにおいて、第１の調整処理と第２の調整処理の２つの調整処理が順番に行われる例を説明したが、調整処理はこれに限らない。例えば、キャリブレーションにおいて３つ以上の調整処理が順番に行われてもよい。
また、本実施例では、第１の調整処理が最初に行われる調整処理であり、第２の調整処理が最後に行われる調整処理である場合の例を説明したが、第１の調整処理と第２の調整処理はこれらに限らない。例えば、４つ以上の調整処理が順番に行われる場合に、２番目に行われる調整処理が第１の調整処理であり、３番目に行われる調整処理が第２の調整処理であってもよい。
また、本実施例では、第１の調整処理が色域調整処理であり、第２の調整処理が色温度調整処理である例を説明したが、第１の調整処理と第２の調整処理はこれらに限らない。上述したように、第１の調整処理と第２の調整処理は、例えば、色域、色温度、階調特性、及び、輝度のうちの少なくともいずれか１つを調整する処理であればよい。
また、本実施例では、色温度調整処理が色域調整処理の次に行われる例を説明したが、
調整処理の実行順序はこれに限らない。例えば、色域調整処理は色温度調整処理よりも後に行われもよいし、色域調整処理と色温度調整処理の間に他の調整処理が行われてもよい。
【００４２】
＜実施例３＞
以下、本発明の実施例３に係る表示装置及びその制御方法について説明する。本実施例では、キャリブレーションを実行する際に、振動処理を省略することのできる構成について説明する。
なお、本実施例に係る表示装置の構成は、実施例１（図１）と同じであるため、その説明は省略する。
【００４３】
本実施例に係る表示装置は、通常キャリブレーションモードと短時間キャリブレーションモードを含む複数の動作モードを有する。そして、通常キャリブレーションモードが設定されている場合には、本実施例に係る表示装置は、キャリブレーションを実行する際に振動処理を行う通常キャリブレーションを実行する。一方、短時間キャリブレーションモードが設定されている場合には、本実施例に係る表示装置は、キャリブレーションを実行する際に振動処理を省略する短時間キャリブレーションを実行する。短時間キャリブレーションモードは、短時間でキャリブレーションを完了させる動作モードである。
【００４４】
本実施例に係る表示装置の動作（キャリブレーションが実行されるときの動作）について、図６のフローチャートを用いて説明する。なお、以下では、簡単のために、キャリブレーションとして通常キャリブレーションと短時間キャリブレーションのいずれかが行われる例を説明するが、キャリブレーションの種類は上記２つに限らない。表示装置は、通常キャリブレーションと短時間キャリブレーション以外のキャリブレーションを実行する動作モードを有していてもよい。
【００４５】
まず、ＵＩ制御部１０１が、ユーザに動作モードを選択させ、ユーザによって選択された動作モードを設定する。具体的には、ＵＩ制御部１０１が、通常キャリブレーションモードと短時間キャリブレーションモードのいずれかをユーザに選択させ、ユーザによって選択されたキャリブレーションモードをＣＡＬ部１０２に設定する。より具体的には、キャリブレーションを開始するユーザ操作が行われると、ＵＩ制御部１０１が、キャリブレーション実行指示をＣＡＬ部１０２に送信する（Ｓ６０１）。
【００４６】
次に、ＣＡＬ部１０２が、キャリブレーション実行指示を受信すると、表示装置の状態をキャリブレーション状態に遷移させる（Ｓ６０２）。
【００４７】
そして、ＣＡＬ部１０２が、通常キャリブレーションモードと短時間キャリブレーションモードのどちらが設定されているかを判断する（Ｓ６０３）。即ち、Ｓ６０１で、通常キャリブレーションを開始するユーザ操作が行われたか、短時間キャリブレーションを開始するユーザ操作が行われたかが判断される。
通常キャリブレーションモードが設定されている場合、即ちＳ６０１で、通常キャリブレーションを開始するユーザ操作が行われた場合には、Ｓ６０４に処理が進められる。
短時間キャリブレーションモードが設定されている場合、即ちＳ６０１で、短時間キャリブレーションを開始するユーザ操作が行われた場合には、Ｓ６０６に処理が進められる。
【００４８】
Ｓ６０４では、ＣＡＬ部１０２が、振動実行指示を振動制御部１０４に送信する。このとき、振動制御部１０４は、振動実行指示を受信に応じて、振動開始指示を振動部１０３に送信する。そして、振動部１０３は、振動開始指示に応じて振動処理を開始する。
【００４９】
次に、振動制御部１０４が、振動処理が十分に行われたか否かを判断する（Ｓ６０５）。例えば、振動制御部１０４は、振動開始指示を送信してから所定時間経過したか否かを判断する。そして、振動開始指示を送信してから所定時間経過した場合に振動処理が十分に行われたと判断し、振動開始指示を送信してから所定時間経過していない場合に振動処理が十分に行われていないと判断する。
振動処理が十分に行われたと判断されるまでＳ６０５の処理が繰り返される。振動処理が十分に行われたと判断されると、振動制御部１０４が、振動処理の終了を示す振動終了指示を振動部１０３に送信し、振動処理完了通知をＣＡＬ部１０２に送信し、Ｓ６０６に処理が進められる。
【００５０】
通常キャリブレーションモードが設定されている場合には、Ｓ６０５において、振動部１０３が、振動終了指示に応じて振動処理を終了し、ＣＡＬ部１０２が、振動処理完了通知に応じてキャリブレーションを開始する。それにより、振動処理が終了した後にキャリブレーションが開始される。
短時間キャリブレーションモードが設定されている場合には、Ｓ６０５において、ＣＡＬ部１０２が、振動処理完了通知に応じてキャリブレーションを開始する。それにより、振動処理が省略されてキャリブレーションが実行される。
【００５１】
以上述べたように、本実施例によれば、通常キャリブレーションモードが設定されている場合には、キャリブレーションを実行する際に振動処理が自動で行われるため、実施例１，２と同様の効果を得ることができる。また、短時間キャリブレーションモードが設定されている場合には、キャリブレーションを実行する際に振動処理が省略されるため、キャリブレーションの実行時間を短縮することができる。
【００５２】
なお、本実施例ではユーザによって動作モードが選択され、ユーザに選択された動作モードが設定される例を説明したが、動作モードの設定方法はこれに限らない。例えば、画像データの種類に応じて動作モードが自動で設定されてもよい。具体的には、テキストデータを表示する場合には短時間キャリブレーションモードが設定され、電子写真データやイラストデータを表示する場合には通常キャリブレーションモードが設定されるように、動作モードが自動で設定されてもよい。
【００５３】
なお、本実施例では、動作モードによって振動処理の実行と非実行を切り換える機能を、実施例１の構成に付加した例を説明したが、そのような機能が実施例２の構成に付加されてもよい。
【００５４】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００５５】
１００  表示装置
１０２  ＣＡＬ部
１０３  振動部
１０４  振動制御部
１０６  表示部
【図１】
2015090430.tif 000003
【図２】
2015090430.tif 000004
【図３】
2015090430.tif 000005
【図４】
2015090430.tif 000006
【図５】
2015090430.tif 000007
【図６】
2015090430.tif 000008